(57)【要約】【課題】長期に着用しても締め付け感が無く且つ頭頂部方向にずれ上がることの無いかつら下地覆いを提供する。【解決手段】かつら下地覆いとしてのかつら下地ネット１０は帯状の縁部１１と伸縮自在な被覆部１２とを繋ぎ合わせて円筒状に形成され、被覆部１２は伸縮自在な紐状部材１３で形成された四角状又は蜂巣状の網目のネット地であり、縁部１１は帯状のレース地で形成されて両方向矢印ａで示す長手方向には伸縮自在であり両方向矢印ｂで示す短手方向には伸縮性が無いように作られ、短手方向の幅ｃは少なくとも着用される人の頭部の生え際から頭頂点（業界用語でゴールデンポイント）までの距離の１／４以上の幅を有して形成される。【選択図】図１
2005194653.tif 000002
【特許請求の範囲】
【請求項１】
帯状の縁部と伸縮自在な被覆部とを繋ぎ合わせて円筒状に形成され、自毛全体を包み込むように頭部に装着するかつら下地覆いであって、
前記縁部は、長手方向に伸縮自在であり短手方向には伸縮性の無い帯状のレース地で形成され、前記短手方向の幅は少なくとも着用される頭部の生え際から頭頂点までの距離の１／４以上の幅を有している、ことを特徴とするかつら下地覆い。
【請求項２】
前記被覆部は、伸縮自在な紐状部材で形成された四角又は蜂巣状の網目を有するネット地から成ることを特徴とする請求項１記載のかつら下地覆い。
【請求項３】
前記被覆部は、伸縮自在なフィラメント部材で形成された横編み又は縦編みの薄地メリヤスから成ることを特徴とする請求項１記載のかつら下地覆い。
【請求項４】
前記薄地メリヤスは、黒色、肌色、又は茶系統色であることを特徴とする請求項３記載のかつら下地覆い。
【発明の詳細な説明】
【技術分野】
【０００１】
本発明は、かつらを装着する際の下地として自毛全体を包み込むように頭部に装着するかつら下地覆いに係わり、更に詳しくは、長期に着用しても締め付け感が無く且つ頭頂部方向にずれ上がることの無いかつら下地覆いに関する。
【背景技術】
【０００２】
近年、頭部に豊富な自毛を有する人が、ファッション性を狙って頭髪を即席に異なる髪形に変えるために、かつらを着用することが多くなっている。また、舞台において自毛とは異なる髪形の役をこなすためにも、かつらは頻繁に用いられる。
【０００３】
その場合、かつらの安定した着用感を維持するために、自毛を通称「かつら下地ネット」で包み込むようにして纏めた上にかつらを着用するようにしている。
図３(a),(b),(c) は、そのような従来のかつら下地ネットと、その着用状態を説明する図である。同図(a) に示すように、かつら下地ネット１は、伸縮自在な紐状部材からなる縁部２と、これも伸縮自在な紐状部材からなる本体ネット部３からなり、全体が円筒状に形成されている。
【０００４】
同図(b) は、代表的に、豊富な自毛４を有する女性５を示しており、同図(c) は、上記の女性５が、自毛４をかつら下地ネット１で包み込むようにして纏め上げた状態を示している。この上から、図には示していないが、所望のかつらを着用する。
【０００５】
また、このようなかつら下地ネットとしては、かつらの着用感を向上させるために、かつら下地ネットの縁部を伸縮性のあるテープ状の部材としたもの、そのようなテープ状の部材の裏側に滑り止め部材を取り付けたもの、或いは、そのような滑り止め部材を取り付けたテープ状部材の縁部の一部の形状を変えたものなどが提案されている。（例えば、特許文献１参照。）
【特許文献１】特開２００２−３７１４１９号公報（［要約］、段落［０００３］、［００２１］、図１、図５、図８）
【発明の開示】
【発明が解決しようとする課題】
【０００６】
ところで、上記のようなかつら下地ネットを、長期に使用していると、縁部が頭部を締め付けるため、縁部に締め付けられている頭部が痛くなってくるという問題や、更に長期に使用していると、円筒状の本体ネット部が横ばかりでなく縦にも伸縮性があるため、縁部が徐々に頭頂部方向に持ち上げられて、かつらの下でかつら下地ネットがずれ上がってしまうという問題があった。
【０００７】
本発明の課題は、上記従来の実情に鑑み、長期に着用しても締め付け感が無く且つ頭頂部方向にずれ上がることの無いかつら下地覆いを提供することである。
【課題を解決するための手段】
【０００８】
以下に、本発明に係わるかつら下地覆いの構成を述べる。
本発明のかつら下地覆いは、帯状の縁部と伸縮自在な被覆部とを繋ぎ合わせて円筒状に形成され、自毛全体を包み込むように頭部に装着するかつら下地覆いであって、上記縁部は、長手方向に伸縮自在であり短手方向には伸縮性の無い帯状のレース地で形成され、上記短手方向の幅は少なくとも着用される頭部の生え際から頭頂点までの距離の１／４以上の幅を有して構成される。
【０００９】
また、上記被覆部は、例えば伸縮自在な紐状部材で形成された四角又は蜂巣状の網目を有するネット地から成るように構成され、また、例えば伸縮自在なフィラメント部材で形成された横編み又は縦編みの薄地メリヤスから成るように構成される。この場合、上記薄地メリヤスは、黒色、肌色、又は茶系統色であることが好ましい。
【発明の効果】
【００１０】
本発明によれば、頭部に安定して装着されると共に締め付け感が無く且つ長期の使用でも頭頂部方向にずれ上がることのないかつら下地覆いを提供することが可能となる。
【発明を実施するための最良の形態】
【００１１】
以下、本発明の実施の形態を図面を参照しながら説明する。
【実施例１】
【００１２】
図１(a) は、第１の実施の形態におけるかつら下地覆いとしてのかつら下地ネットを示す図であり、同図(b) は、その縁部を拡大して示す図である。同図(a) に示すように、かつら下地ネット１０は、帯状の縁部１１と伸縮自在な被覆部１２とを繋ぎ合わせて円筒状に形成されている。
【００１３】
上記の被覆部１２は、伸縮自在な紐状部材１３で形成された四角状の網目を有するネット地で構成されている。この網目は、同図(a) に示すように四角状でもよく、また、特には図示しないが、蜂巣状の網目であっても良い。また、網目の大きさは、かつら下地ネット１０を着用する人の好み又は体質に応じて適宜に設定してよいことは勿論である。
【００１４】
また、縁部１１は、帯状のレース地で形成されている。そして同図(b) に両方向矢印ａで示す長手方向には伸縮自在であるが、同じく両方向矢印ｂで示す短手方向には伸縮性が無いように作られている。
【００１５】
また、縁部１１の短手方向の幅ｃは、少なくとも着用される人の頭部の生え際から頭頂点（業界用語ではゴールデンポイントと呼称されている）までの距離の１／４以上の幅を有するように形成される。
【００１６】
このかつら下地覆いの全体の色は、使用する人の頭部の状態に応じて、例えば黒色、肌色、茶色等に彩色したものを用いる。黒色のかつら下地覆いは、自毛が黒色の人に用いる。肌色のかつら下地覆いは、例えば白髪混じりの人に用いるとよい。その理由は、かつら下地覆いが黒色であると、白髪の白色が目立ち、かつらのベースが見えたときに不自然になるが、肌色であると地肌が透けて見えているように見えるから不自然さが解消されるからである。また、茶色のかつら下地覆いは、自毛を近年流行の茶系統の色に染めている人に用いるようにするとよい。これであると、かつらのベースが見えたとき、茶系統同士の色であるため目立たないからである。
【００１７】
このように、かつら下地覆いとしてのかつら下地ネット１０のの縁部１１を、短手方向ｂに伸縮性の無い帯状のレース地で形成し、その短手方向ｂの幅ｃを、少なくとも着用される人の頭部の生え際から頭頂点（ゴールデンポイント）までの距離の１／４以上に形成するので、幅の広い縁部１１によってかつら下地ネット１０が頭部に安定して装着されると共に、縁部１１が幅広であるので頭部に締め付け感が無く楽であり、且つ縁部１１がその短手方向ｂ、すなわち円筒状の本体である被覆部１２の縦方向への伸縮性を持たないので、長期間使用しても、縁部１１が上方に縮んで頭頂部方向にずれ上がるということがなく長期間安定して使用することができる。また、縁部１１は幅広ではあるがレース地であるので、蒸れることがなく快適に着用していることができる。
【００１８】
また、このかつら下地覆い１０のネット地で構成された被服部１２は、自毛の多い人に適し、自毛をかつら下地覆い１０の中に纏めて収めた後、網目から指を入れて自毛を網目に添わせ、ピン等で留めやすいという利点がある。
【実施例２】
【００１９】
図２は、第２の実施の形態におけるかつら下地覆いを示す図である。同図に示すかつら下地覆い１５は、縁部１１の構成は、図１(a) に示したかつら下地ネット１０の場合と同様であるが、被覆部１６の構成が図１(a) のかつら下地ネット１０の場合と異なる。
【００２０】
すなわち、図２に示すかつら下地覆い１５の被覆部１６は、伸縮自在なフィラメント部材で形成された横編み又は縦編みの薄地メリヤスから成っている。この薄地メリヤスは女性が着用するパンティストッキングの薄地メリヤス地と同様のものである。
【００２１】
この薄地メリヤス地からなるかつら下地覆い１５は、肌触りが良くフィット感も良いので、本来から自毛が薄い人や、例えば病気や抗がん剤の使用が原因で円形脱毛や頭頂部が薄い人などに用いるとよい。
【００２２】
この場合、自毛が極端に少ない人の場合は、薄地メリヤス地は黒色である方が良い。そのようにすると、例えばかつら下地覆い１５の上に着用したかつらが役柄上薄毛のかつらであったような場合、その薄毛のかつらを着用した人が自毛が薄く地肌が見えるような人である場合に、かつら下地覆い１５が黒色の薄地メリヤス地であるので、頭部が一面に黒色となって、薄毛のかつらの上から自毛の薄い地肌が透けて見えるという不具合が解消される。
【００２３】
また、比較的自毛が多い人の場合には、自毛が黒色の場合には薄地メリヤス地も黒色、自毛が白髪混じり場合には薄地メリヤス地は肌色（実施例１の場合と同じ理由による）、そして自毛を茶色に染めている場合には薄地メリヤス地も茶色にすると良い。
【図面の簡単な説明】
【００２４】
【図１】(a) は第１の実施の形態におけるかつら下地覆いとしてのかつら下地ネットを示す図、(b) はその縁部を拡大して示す図である。
【図２】第２の実施の形態におけるかつら下地覆いを示す図である。
【図３】(a),(b),(c) は従来のかつら下地ネットとその着用状態を説明する図である。
【符号の説明】
【００２５】
１      かつら下地ネット
２      縁部
３      本体ネット部
４      自毛
５      女性
１０    かつら下地ネット
１１    縁部
１２    被覆部
１３    紐状部材
１５    かつら下地覆い
１６    被覆部
【図１】
2005194653.tif 000003
【図２】
2005194653.tif 000004
【図３】
2005194653.tif 000005